(57)【要約】【課題】噴霧ノズルの先端側を細くすることができ、且つ、良好な霧化状態の吐水を行える衛生洗浄装置を提供する。【解決手段】ケーシングと、前記ケーシングの内部に設けられ、流入口と吐水口とを有し、前記吐水口から洗浄水又は機能水を噴霧可能な噴霧ノズルと、を備え、前記噴霧ノズルの流入口側から見て、前記吐水口は、前記流入口と重なる位置に設けられ、前記噴霧ノズルの内部には、前記洗浄水又は機能水の直進流の動圧を制御する動圧制御部が設けられていることを特徴とする衛生洗浄装置である。【選択図】図６
2018123622.tif 000002
【特許請求の範囲】
【請求項１】
ケーシングと、
前記ケーシングの内部に設けられ、流入口と吐水口とを有し、前記吐水口から洗浄水又は機能水を噴霧可能な噴霧ノズルと、
を備え、
前記噴霧ノズルの流入口側から見て、前記吐水口は、前記流入口と重なる位置に設けられ、
前記噴霧ノズルの内部には、前記洗浄水又は機能水の直進流の動圧を制御する動圧制御部が設けられていることを特徴とする衛生洗浄装置。
【請求項２】
前記動圧制御部は、前記直進流の動圧を、前記流入口から流入した前記洗浄水又は機能水の動圧よりも低くすることを特徴とする請求項１記載の衛生洗浄装置。
【請求項３】
前記動圧制御部の下流側には、前記直進流と、前記洗浄水又は機能水の旋回流と、を形成する直進流・旋回流形成部が設けられ、
前記動圧制御部は、前記直進流の動圧を制御して、前記直進流の動圧と、前記旋回流を形成する流れの動圧と、の差を少なくすることを特徴とする請求項１または２に記載の衛生洗浄装置。
【請求項４】
前記動圧制御部は、板状を呈し、前記流入口から流入した前記洗浄水又は機能水の流れを遮る基部を有することを特徴とする請求項１〜３のいずれか１つに記載の衛生洗浄装置。
【発明の詳細な説明】
【技術分野】
【０００１】
本発明の態様は、一般的に、衛生洗浄装置に関する。
【背景技術】
【０００２】
便器の掃除は、手間がかかる場合や面倒な場合がある。そのため、掃除の手間や面倒を低減させるために、便器のボウル部に向かって洗浄水又は機能水を噴霧し、ボウル部の表面を清潔に保つ技術が提案されている（例えば、特許文献１）。  
この場合、洗浄水又は機能水は、専用の噴霧ノズルから便器のボウル部に向けて噴霧される。  
この噴霧ノズルは衛生洗浄装置のケーシングの内部に設けられ、噴霧ノズルの先端側はケーシングのボウル部側の周縁近傍に設けられている。
【０００３】
ここで、噴霧ノズルの先端側が太くなると、ケーシングに膨らみを持たせる必要が生じるなどして、ケーシングデザインの自由度が小さくなる。  
そのため、噴霧ノズルの先端側は細くすることが好ましい。この場合、噴霧ノズルの流入口側から見て、流入口と重なる位置に吐水口を設ければ噴霧ノズルの先端側を細くすることが容易となる。
【０００４】
ところが、噴霧ノズルの内部には洗浄水又は機能水の直進流と旋回流とを形成する流路が設けられている。そのため、単に、この様な位置に吐水口を設けると、流入口から流入した洗浄水又は機能水が直進流を形成する流路に直接供給されるので、直進流の動圧が旋回流を形成する流れの動圧よりも高くなりすぎて、吐水の霧化状態が悪くなるおそれがある。  
そこで、噴霧ノズルの先端側を細くすることができ、且つ、良好な霧化状態の吐水を行えることが望まれる。
【先行技術文献】
【特許文献】
【０００５】
【特許文献１】特開２０１３−２２１２４３号公報
【発明の概要】
【発明が解決しようとする課題】
【０００６】
本発明は、かかる課題の認識に基づいてなされたものであり、噴霧ノズルの先端側を細くすることができ、且つ、良好な霧化状態の吐水を行える衛生洗浄装置を提供することを目的とする。
【課題を解決するための手段】
【０００７】
第１の発明は、ケーシングと、前記ケーシングの内部に設けられ、流入口と吐水口とを有し、前記吐水口から洗浄水又は機能水を噴霧可能な噴霧ノズルと、を備え、前記噴霧ノズルの流入口側から見て、前記吐水口は、前記流入口と重なる位置に設けられ、前記噴霧ノズルの内部には、前記洗浄水又は機能水の直進流の動圧を制御する動圧制御部が設けられていることを特徴とする衛生洗浄装置である。
【０００８】
この衛生洗浄装置によれば、噴霧ノズルの流入口側から見て、吐水口は、流入口と重なる位置に設けられているので、噴霧ノズルの先端側を細くすることができる。そのため、ケーシングデザインの自由度を大きくすることができる。  
また、この衛生洗浄装置には、洗浄水又は機能水の直進流の動圧を制御する動圧制御部が設けられているので、噴霧ノズルの流入口側から見て、吐水口が流入口と重なる位置に設けられていても吐水の霧化状態が悪くなるのを抑制することができる。すなわち、良好な霧化状態の吐水を行うことができる。
【０００９】
第２の発明は第１の発明において、前記動圧制御部は、前記直進流の動圧を、前記流入口から流入した前記洗浄水又は機能水の動圧よりも低くすることを特徴とする衛生洗浄装置である。
【００１０】
この衛生洗浄装置によれば、噴霧ノズルの流入口側から見て、吐水口が流入口と重なる位置に設けられていても吐水の霧化状態が悪くなるのを抑制することが容易となる。すなわち、良好な霧化状態の吐水を行うことが容易となる。
【００１１】
第３の発明は、第１または第２の発明において、前記動圧制御部の下流側には、前記直進流と、前記洗浄水又は機能水の旋回流と、を形成する直進流・旋回流形成部が設けられ、前記動圧制御部は、前記直進流の動圧を制御して、前記直進流の動圧と、前記旋回流を形成する流れの動圧と、の差を少なくすることを特徴とする衛生洗浄装置である。
【００１２】
この衛生洗浄装置によれば、噴霧ノズルの流入口側から見て、吐水口が流入口と重なる位置に設けられていても吐水の霧化状態が悪くなるのを抑制することがさらに容易となる。すなわち、良好な霧化状態の吐水を行うことがさらに容易となる。
【００１３】
第４の発明は、第１〜第３のいずれか１つの発明において、前記動圧制御部は、板状を呈し、前記流入口から流入した前記洗浄水又は機能水の流れを遮る基部を有することを特徴とする衛生洗浄装置である。
【００１４】
この衛生洗浄装置によれば、簡便な構成により、吐水の霧化状態が悪くなるのを抑制することができる。すなわち、簡便な構成により、良好な霧化状態の吐水を行うことができる。
【発明の効果】
【００１５】
本発明の態様によれば、噴霧ノズルの先端側を細くすることができ、且つ、良好な霧化状態の吐水を行える衛生洗浄装置が提供される。
【図面の簡単な説明】
【００１６】
【図１】実施形態にかかるトイレ装置及び衛生洗浄装置を表す斜視図である。
【図２】実施形態に係る衛生洗浄装置の要部構成を表すブロック図である。
【図３】洗浄水供給部、洗浄ノズル、噴霧ノズル、及び制御部の配置を表す斜視図である。
【図４】噴霧ノズルの取り付けを表す断面図である。
【図５】噴霧ノズルの斜視図である。
【図６】噴霧ノズルの断面図である。
【図７】図６のＣ１−Ｃ２線断面を表す図である。
【図８】図６のＤ１−Ｄ２線断面を表す図である。
【発明を実施するための形態】
【００１７】
以下、実施形態について図面を参照しつつ説明する。なお、各図面中、同様の構成要素には同一の符号を付して詳細な説明は適宜省略する。  
図１は、実施形態にかかるトイレ装置及び衛生洗浄装置を表す斜視図である。  
図１に表したように、トイレ装置２は、洋式腰掛便器（以下説明の便宜上、単に「便器」と称する）４と、衛生洗浄装置１０と、を備える。衛生洗浄装置１０は、便器４の上に取り付けられる。衛生洗浄装置１０は、便器４に対して一体的に取り付けてもよいし、便器４に対して着脱可能に取り付けてもよい。
【００１８】
衛生洗浄装置１０は、本体部１２と、便座１４と、便蓋１６と、を有する。便蓋１６は、衛生洗浄装置１０に必要に応じて設けられ、省略可能である。便座１４と便蓋１６とは、本体部１２に対して回転可能に軸支されている。
【００１９】
ここで、本願明細書においては、便座１４に座った使用者からみて上方を「上方」とし、便座１４に座った使用者からみて下方を「下方」とする。また、開いた状態の便蓋１６に背を向けて便座１４に座った使用者からみて前方を「前方」とし、後方を「後方」とし、右側を「右側方」とし、左側を「左側方」とする。
【００２０】
便器４は、ボウル部４ａを有する。ボウル部４ａは、下方に凹む凹状である。便器４は、ボウル部４ａにおいて使用者の尿や便などの排泄物を受ける。
【００２１】
衛生洗浄装置１０の本体部１２は、便器４のボウル部４ａよりも後方の部分の上に取り付けられる。本体部１２は、ケーシング２０を有する。ケーシング２０は、ケースカバー２２とベースプレート２４を有する。ベースプレート２４は、ケースカバー２２の下端を塞ぐ。換言すれば、ケースカバー２２は、ベースプレート２４の上に取り付けられる。本体部１２は、ケースカバー２２において、便座１４及び便蓋１６を回転可能に軸支する。
【００２２】
図２は、実施形態に係る衛生洗浄装置の要部構成を表すブロック図である。  
図２に表したように、衛生洗浄装置１０は、洗浄水供給部３０と、着座検知センサ３１と、人体検知センサ３２と、洗浄ノズル３４と、ノズル洗浄室３６と、噴霧ノズル３８と、脱臭ユニット４０と、制御部４２と、を有する。
【００２３】
着座検知センサ３１は、使用者が便座１４に着座する直前において便座１４の上方に存在する人体や、便座１４に着座した使用者を検知することができる。着座検知センサ３１は、便座１４に着座した使用者だけではなく、便座１４の上方に存在する使用者を検知してもよい。このような着座検知センサ３１としては、例えば、赤外線投受光式の測距センサを用いることができる。着座検知センサ３１は、使用者が着座した際の荷重によってＯＮ／ＯＦＦが行われるスイッチであってもよい。着座検知センサ３１は、使用者の着座の検知に応答して、着座の検知を表す信号を制御部４２に出力する。
【００２４】
人体検知センサ３２は、例えば赤外線信号を利用した焦電センサであり、トイレ装置２が設置された室内（以下、トイレルームと称す）に入室した入室者を検知する。人体検知センサ３２は、制御部４２に接続されている。人体検知センサ３２は、検知結果を制御部４２に入力する。
【００２５】
人体検知センサ３２は、例えばドップラーセンサなどのマイクロ波センサであってもよい。マイクロ波のドップラー効果を利用したセンサや、マイクロ波を送信し反射したマイクロ波の振幅（強度）に基づいて被検知体を検出するセンサなどを人体検知センサ３２として用いた場合には、人体検知センサ３２は、トイレルームのドア越しに使用者の存在を検知することが可能となる。つまり、人体検知センサ３２は、トイレルームに入室する前の使用者を検知することができる。
【００２６】
制御部４２は、洗浄水供給部３０、人体検知センサ３２、洗浄ノズル３４、ノズル洗浄室３６、噴霧ノズル３８、及び脱臭ユニット４０のそれぞれの動作を制御する。制御部４２は、例えば、操作部４４から入力される操作指示に応じて、各部の動作を制御する。操作部４４は、本体部１２に設けてもよいし、本体部１２とは別に設けてもよい。操作部４４は、いわゆるリモコンでもよい。制御部４２と操作部４４との間の通信は、有線でもよいし、無線でもよい。
【００２７】
洗浄水供給部３０は、流路開閉弁５０と、熱交換器５１と、電解槽５２と、大気解放式のバキュームブレーカー（ＶＢ）５３と、電磁ポンプ５４と、流調・流路切替弁５５と、を有する。
【００２８】
流路開閉弁５０は、開閉可能な電磁バルブであり、制御部４２からの指令に基づいて洗浄水の供給を制御する。流路開閉弁５０は、給水源から供給される洗浄水の給水と止水とを切り替える。
【００２９】
熱交換器５１は、流路開閉弁５０の下流に設けられている。熱交換器５１は、ヒータにより、給水源から供給された洗浄水を加熱して例えば規定の温度まで昇温させる。熱交換器５１は、給水源から供給された洗浄水を、設定された温度の温水に変換する。以下、本願明細書において、「洗浄水」は、給水源から供給された水（冷水）と、熱交換器５１によって温められた温水と、を含むものとする。
【００３０】
熱交換器５１は、例えばセラミックヒータなどを用いた瞬間加熱式（瞬間式）の熱交換器でもよいし、貯湯タンクを用いた貯湯加熱式の熱交換器でもよい。使用者は、操作部４４を操作することにより温水温度を設定することができる。
【００３１】
電解槽５２は、熱交換器５１の下流に設けられている。電解槽５２は、一対の電極を有し、制御部４２から送信された通電の制御信号に基づいて、電極間に流れる洗浄水（水道水）を電気分解する。電解槽５２は、洗浄水に含まれる塩素イオンを電気分解することにより、次亜塩素酸（ＨＣｌＯ）を含む液（以下、「機能水」と称する）を生成する。
【００３２】
電解槽５２を通過した洗浄水、及び電解槽５２によって生成された機能水は、電磁ポンプ５４を介して、洗浄ノズル３４へ送られる。電磁ポンプ５４は、例えば、洗浄ノズル３４に供給される洗浄水に脈動を与える。
【００３３】
洗浄ノズル３４は、吐水部３５を有する。吐水部３５は、例えば、おしり洗浄吐水孔３５ａと、おしりソフト吐水孔３５ｂと、ビデ洗浄吐水孔３５ｃと、を有する。
【００３４】
また、洗浄ノズル３４は、おしり洗浄流路ＦＣ１と、おしりソフト流路ＦＣ２と、ビデ洗浄流路ＦＣ３と、ワイドビデ洗浄流路ＦＣ４と、を有する。おしり洗浄流路ＦＣ１は、おしり洗浄吐水孔３５ａに接続され、おしり洗浄吐水孔３５ａに洗浄水又は機能水を供給する。おしりソフト流路ＦＣ２は、おしりソフト吐水孔３５ｂに接続され、おしりソフト吐水孔３５ｂに洗浄水又は機能水を供給する。ビデ洗浄流路ＦＣ３及びワイドビデ洗浄流路ＦＣ４は、ビデ洗浄吐水孔３５ｃに接続され、ビデ洗浄吐水孔３５ｃに洗浄水又は機能水を供給する。但し、洗浄ノズル３４が有する吐水孔及び流路は、これだけには限定されない。吐水孔の数は、上記のように流路の数と一致していなくてもよいし、流路の数と同じでもよい。
【００３５】
洗浄ノズル３４へ送られた洗浄水又は機能水は、吐水部３５から上方に向かって吐水される。吐水部３５から吐水された洗浄水は、便座１４に着座した使用者の局部洗浄などに用いられる。また、洗浄ノズル３４においては、ビデ洗浄流路ＦＣ３からビデ洗浄吐水孔３５ｃに洗浄水を供給することにより、ビデ洗浄が行われ、ワイドビデ洗浄流路ＦＣ４からビデ洗浄吐水孔３５ｃに洗浄水を供給することにより、ワイドビデ洗浄が行われる。機能水は、各吐水孔３５ａ〜３５ｃ、及び各吐水孔３５ａ〜３５ｃへと至る流路の洗浄などに用いられる。このように、洗浄ノズル３４は、４つの流路ＦＣ１〜ＦＣ４を有し、４つの流路ＦＣ１〜ＦＣ４のそれぞれから供給された洗浄水又は機能水を吐水可能に構成されている。
【００３６】
電磁ポンプ５４と洗浄ノズル３４との間には、流調・流路切替弁５５が設けられている。流調・流路切替弁５５は、電磁ポンプ５４を介して供給された洗浄水又は機能水の行き先を、おしり洗浄流路ＦＣ１、おしりソフト流路ＦＣ２、ビデ洗浄流路ＦＣ３、ワイドビデ洗浄流路ＦＣ４、ノズル洗浄室３６、噴霧ノズル３８、及び脱臭ユニット４０のいずれかに切り替える。また、流調・流路切替弁５５は、洗浄ノズル３４の各吐水孔３５ａ〜３５ｃから吐水する洗浄水の吐水流量を変更する。
【００３７】
ノズル洗浄室３６は、吐水部３６ａを有する。ノズル洗浄室３６は、吐水部３６ａから洗浄水又は機能水を吐水することにより、洗浄ノズル３４の外面の洗浄、即ち胴体洗浄を行う。
【００３８】
噴霧ノズル３８は、便器４のボウル部４ａの表面に洗浄水又は機能水を噴霧する。噴霧ノズル３８は、ケーシング２０の内部に設けてもよいし、ケーシング２０の外部に取り付けてもよい。
なお、噴霧ノズル３８に関する詳細は後述する。
【００３９】
制御部４２は、例えば、人体検知センサ３２による使用者の入室の検知に応答して、噴霧ノズル３８から便器４のボウル部４ａの表面に水滴を噴霧する。すなわち、制御部４２は、使用者が便器４を使用する前に、便器４のボウル部４ａの表面を水滴で濡らす。これにより、ボウル部４ａの表面に付着する汚物を軽減させることができる。
【００４０】
また、制御部４２は、例えば、人体検知センサ３２がトイレルーム内の使用者を検知しなくなってから所定時間（例えば、９０秒後）が経過した際に、噴霧ノズル３８から便器４のボウル部４ａの表面に機能水を噴霧する。すなわち、制御部４２は、使用者が汚物を流し便器４の使用を終了した後に、ボウル部４ａの表面を機能水（次亜塩素酸水）で濡らす。これにより、悪臭のもとになる菌が、ボウル部４ａにおいて増えてしまうことを抑えることができる。便器４から悪臭が放出されることを抑えることができる。
【００４１】
脱臭ユニット４０は、トイレルーム内の空気を吸い込む。トイレルーム内の空気とは、主として便器４の外部の空気（ボウル部４ａ内以外の空気）をいう。脱臭ユニット４０は、吸い込んだ空気に含まれる悪臭成分を捕集又は分解する。「悪臭成分」は、例えば、アンモニア成分である。脱臭ユニット４０は、悪臭成分を捕集又は分解した空気を、ケーシング２０の外部（トイレルーム）に吐き出す。
【００４２】
脱臭ユニット４０は、集塵フィルタ６０と、ファン（送風部）６１と、脱臭フィルタ６２と、噴霧部６３と、水受け部６４と、吸気口６５と、排気口６６と、を有する。
【００４３】
ファン６１は、吸気口６５からトイレルーム内の空気を吸い込み、吸い込んだ空気を排気口６６からトイレルームへ吐き出す。集塵フィルタ６０は、吸気口６５とファン６１との間に設けられ、吸い込んだ空気に含まれる塵や埃などが、ファン６１へ送られることを抑制する。
【００４４】
脱臭フィルタ６２は、ファン６１と排気口６６との間に設けられる。噴霧部６３は、脱臭フィルタ６２よりも上方に設けられている。噴霧部６３は、電磁弁を有する。噴霧部６３は、制御部４２の制御に基づいて開弁動作を行い、流調・流路切替弁５５から供給された洗浄水又は機能水を、脱臭フィルタ６２の上方から脱臭フィルタ６２に向けて噴霧する。
【００４５】
脱臭フィルタ６２は、例えば、多孔質構造を有し、噴霧部６３から噴霧された洗浄水又は機能水を保持する。水受け部６４は、脱臭フィルタ６２の下方に設けられ、脱臭フィルタ６２から滴下した水を受ける。
【００４６】
ファン６１が作動すると、吸気口６５から吸い込まれたトイレルーム内の空気が、脱臭フィルタ６２内を通過する。脱臭フィルタ６２が水分を保持した状態において、空気が脱臭フィルタ６２内を通過すると、空気の中に含まれる悪臭成分が、脱臭フィルタ６２に保持された水分に取り込まれる。例えば、空気中に含まれるアンモニア（ＮＨ３）が、脱臭フィルタ６２に保持された水分に溶解する。これにより、空気中に含まれる悪臭成分を低減させることができる。
【００４７】
悪臭成分が低減された空気は、排気口６６からトイレルームへ排出される。このように、脱臭ユニット４０は、トイレルーム内に常在する悪臭成分を捕集又は分解することができる。よって、使用者は、トイレルームに入室する際に、トイレルーム内に常在する悪臭成分による臭気を吸う可能性が低くなり、快適にトイレルームを利用できる。
【００４８】
制御部４２は、例えば、使用者のトイレ装置２の使用頻度の低い時間帯においては、ファン６１の動作を停止させる。そして、制御部４２は、使用者のトイレ装置２の使用頻度の高い時間帯においては、ファン６１を動作させるとともに、定期的に噴霧部６３を動作させ、脱臭フィルタ６２に水分を保持させる。
【００４９】
これにより、使用者がトイレルームに入室する可能性が高い時間帯において、トイレルーム内に常在する臭気を取り除くことができる。したがって、使用者が、トイレルーム内に常在する臭気を吸うことで、不快感を感じることを抑制することができる。
【００５０】
図３は、洗浄水供給部、洗浄ノズル、噴霧ノズル、及び制御部の配置を表す斜視図である。  
図３に表したように、洗浄水供給部３０、洗浄ノズル３４、噴霧ノズル３８、及び制御部４２は、ベースプレート２４に取り付けられる。洗浄ノズル３４は、例えば、ベースプレート２４の左右方向の略中央に配置される。洗浄水供給部３０は、例えば、洗浄ノズル３４に隣接して配置される。
【００５１】
洗浄水供給部３０の電解槽５２は、可撓性を有するチューブ４７を介して熱交換器５１と接続される。  
噴霧ノズル３８は、可撓性を有するチューブ３９を介して洗浄水供給部３０の流調・流路切替弁５５と接続される。
【００５２】
次に、噴霧ノズル３８についてさらに説明する。  
図４は、噴霧ノズルの取り付けを表す断面図である。  
図４は、図３のＡ１−Ａ２線断面を表す。  
図４に表したように、噴霧ノズル３８は、接続部２５によりベースプレート２４のボウル部４ａ側の周縁近傍に取り付けられている。また、噴霧ノズル３８の流入口３８ａ２は、接続部２５を介してチューブ３９に接続されている。噴霧ノズル３８は、便器４のリム部の上面に対して傾けて取り付けられている。
【００５３】
図５は、噴霧ノズルの斜視図である。  
図６は、噴霧ノズルの断面図である。  
図６は、図５のＢ１−Ｂ２線断面を表す。  
図７は、図６のＣ１−Ｃ２線断面を表す図である。  
図８は、図６のＤ１−Ｄ２線断面を表す図である。  
図５及び図６に表したように、噴霧ノズル３８は、本体部３８ａ、直進流・旋回流形成部３８ｂ、および動圧制御部３８ｃを有する。
【００５４】
本体部３８ａは、筒状を呈し、内部に洗浄水又は機能水が流れる流路３８ａ１を有している。  
本体部３８ａの外側面には、フランジ部３８ａ４が設けられている。フランジ部３８ａ４は、本体部３８ａの軸方向の中央近傍に設けることができる。本体部３８ａの流入口３８ａ２側の端部の近傍には、雄ネジ部３８ａ５が設けられている。雄ネジ部３８ａ５は、接続部２５に設けられた雌ネジ部に螺合される。雄ネジ部３８ａ５とフランジ部３８ａ４との間には、溝部３８ａ６が設けられている。溝部３８ａ６には、Ｏリング（O-ring）などのシール部材３７が設けられる。  
なお、本体部３８ａの形態は例示をしたものに限定されるわけではない。本体部３８ａは、流入口３８ａ２と吐水口３８ａ３を有し、内部に洗浄水又は機能水が流れる流路を有していればよい。
【００５５】
流路３８ａ１の一端は、本体部３８ａの一方の端部に開口し流入口３８ａ２を形成している。流路３８ａ１の他端は、本体部３８ａの他方の端部に開口し吐水口３８ａ３を形成している。流入口３８ａ２側から見て、吐水口３８ａ３は、流入口３８ａ２と重なる位置に設けられている。なお、図５及び図６に例示をした噴霧ノズル３８は、流入口３８ａ２側から見て、吐水口３８ａ３の中心が流入口３８ａ２の中心と重なっているが、吐水口３８ａ３の中心が流入口３８ａ２の中心からずれていてもよい。つまり、流入口３８ａ２側から見て、吐水口３８ａ３は、流入口３８ａ２と重なる位置に設けられていればよい。
【００５６】
直進流・旋回流形成部３８ｂは、本体部３８ａの内部に設けられている。直進流・旋回流形成部３８ｂは、流路３８ａ１に設けられている。直進流・旋回流形成部３８ｂは、後述する動圧制御部３８ｃと、吐水口３８ａ３との間に設けられている。本体部３８ａの軸方向と直交する方向において、直進流・旋回流形成部３８ｂの一部は流路３８ａ１の内壁と接触し、残りの部分が流路３８ａ１の内壁から離隔することで流路が形成されている（図８を参照）。
【００５７】
そのため、本体部３８ａの軸方向と直交する方向における直進流・旋回流形成部３８ｂの位置は、流路３８ａ１の内壁により規定される。直進流・旋回流形成部３８ｂは、流路３８ａ１の段付き面と動圧制御部３８ｃとの間に挟まれている。すなわち、本体部３８ａの軸方向における直進流・旋回流形成部３８ｂの位置は、流路３８ａ１の段付き面と動圧制御部３８ｃとにより規定される。
【００５８】
直進流・旋回流形成部３８ｂの流入口３８ａ２側の端部には溝３８ｂ４が設けられている。本体部３８ａの軸方向と直交する方向において、溝３８ｂ４は、直進流・旋回流形成部３８ｂを貫通している。溝３８ｂ４は、洗浄水又は機能水が流れる流路となる。
【００５９】
直進流・旋回流形成部３８ｂは、内部に洗浄水又は機能水が流れる流路３８ｂ１を有している。流路３８ｂ１は、溝３８ｂ４と凹部３８ｂ２とに接続されている。流路３８ｂ１は、溝３８ｂ４を流れる洗浄水又は機能水の一部を直進流として凹部３８ｂ２に供給する。流路３８ｂ１は、例えば、直線状の孔とすることができる。
【００６０】
直進流・旋回流形成部３８ｂの吐水口３８ａ３側の端部には、凹部３８ｂ２が設けられている。流路３８ｂ１は、溝３８ｂ４と凹部３８ｂ２とに接続されているので、溝３８ｂ４から流路３８ｂ１に流入し直進流となった洗浄水又は機能水が凹部３８ｂ２の内部に供給される。
【００６１】
また、直進流・旋回流形成部３８ｂの吐水口３８ａ３側の端部には、流路３８ｂ３が設けられている。
【００６２】
図７に表したように、流路３８ｂ３の一方の端部は、直進流・旋回流形成部３８ｂの側面に開口している。流路３８ｂ３の他方の端部は、凹部３８ｂ２に接続されている。吐水口３８ａ３側から見て、凹部３８ｂ２は円形を呈している。また、流路３８ｂ３は、凹部３８ｂ２の中心からズレた位置に接続されている。例えば、流路３８ｂ３の一方の内壁は、凹部３８ｂ２の接線方向に延びている。流路３８ｂ３の数は例示をしたものに限定されるわけではなく、１つ以上の流路３８ｂ３が設けられていればよい。また、流路３８ｂ３の形態は例示をしたものに限定されるわけではなく、凹部３８ｂ２の中心からズレた位置に洗浄水又は機能水が供給されればよい。
【００６３】
直進流・旋回流形成部３８ｂと流路３８ａ１の内壁との間を流れた洗浄水又は機能水は、流路３８ｂ３を介して凹部３８ｂ２の内部に供給される。凹部３８ｂ２の内部に供給された洗浄水又は機能水は、凹部３８ｂ２の内壁に沿って流れる。そのため、凹部３８ｂ２の内部に洗浄水又は機能水の旋回流が形成される。洗浄水又は機能水の旋回流は、流路３８ｂ１により形成された洗浄水又は機能水の直進流と合流する。吐水口３８ａ３から吐水される洗浄水又は機能水は旋回流と直進流とが合流したものとなるので、吐水の形態は略円錐状、且つ霧状となる。
【００６４】
ここで、図４に表したように、噴霧ノズル３８は、ベースプレート２４の周縁近傍に取り付けられている。そのため、噴霧ノズル３８（本体部３８ａ）の先端側が太くなると、ケースカバー２２やベースプレート２４の、噴霧ノズル３８が取り付けられる領域に膨らみを持たせる必要が生じるなどして、ケースカバー２２やベースプレート２４のデザインの自由度が小さくなる。
【００６５】
本実施の形態に係る噴霧ノズル３８においては、流入口３８ａ２側から見て、吐水口３８ａ３は、流入口３８ａ２と重なる位置に設けられている。そのため、噴霧ノズル３８（本体部３８ａ）の先端側の、軸方向に直交する方向の寸法を短くすることができる。すなわち、噴霧ノズル３８（本体部３８ａ）の先端側を細くすることができる。この場合、流入口３８ａ２側から見て、吐水口３８ａ３の中心が流入口３８ａ２の中心と重なるようにすれば、噴霧ノズル３８（本体部３８ａ）の先端側をさらに細くすることができる。  
噴霧ノズル３８（本体部３８ａ）の先端側を細くすることができれば、ケースカバー２２やベースプレート２４のデザインの自由度を大きくすることができる。
【００６６】
ところが、流入口３８ａ２側から見て、吐水口３８ａ３が流入口３８ａ２と重なる位置に設けられていれば、流入口３８ａ２から流入した洗浄水又は機能水の一部が、流路３８ｂ１に直接供給される。そのため、流路３８ｂ１を流れる直進流の動圧が、直進流・旋回流形成部３８ｂと流路３８ａ１の内壁との間を流れる流れの動圧（旋回流を形成するための流れの動圧）よりも高くなり易くなる。直進流の動圧が、旋回流を形成するための流れの動圧よりも高くなりすぎると、吐水の霧化状態が悪くなるおそれがある。
【００６７】
そこで、噴霧ノズル３８の内部には、洗浄水又は機能水の直進流の動圧を制御する動圧制御部３８ｃが設けられている。
動圧制御部３８ｃは、本体部３８ａの内部に設けられている。動圧制御部３８ｃは、流路３８ａ１に設けられている。動圧制御部３８ｃは、直進流・旋回流形成部３８ｂの上流側（流入口３８ａ２側）に設けられている。
【００６８】
図６及び図８に表したように、動圧制御部３８ｃは、基部３８ｃ１と受け部３８ｃ２を有する。  
動圧制御部３８ｃは、流入口３８ａ２から挿入された図示しない部材により押さえつけられることで、本体部３８ａの内部に固定されている。
基部３８ｃ１は、円板状を呈し、流入口３８ａ２から流入した洗浄水又は機能水の流れを遮る。基部３８ｃ１は、切り欠き部３８ｃ１ａと凹部３８ｃ１ｂを有する。切り欠き部３８ｃ１ａと流路３８ａ１の内壁との間、凹部３８ｃ１ｂと流路３８ａ１の内壁との間は流路となる。
【００６９】
受け部３８ｃ２は、筒状を呈し、基部３８ｃ１の流入口３８ａ２側の面に設けられている。受け部３８ｃ２には、スリット３８ｃ２ａが設けられている。流入口３８ａ２の中央領域から流入し、受け部３８ｃ２の内部に流入した洗浄水又は機能水は、基部３８ｃ１と衝突する。洗浄水又は機能水が基部３８ｃ１と衝突することで動圧が低減される。基部３８ｃ１の面と衝突した洗浄水又は機能水の流れ方向は、本体部３８ａの軸方向と直交する方向に変えられる。流れ方向が変えられた洗浄水又は機能水は、スリット３８ｃ２ａを介して受け部３８ｃ２の外側に流出する。
【００７０】
受け部３８ｃ２の外側に流出した洗浄水又は機能水と、流入口３８ａ２の周縁領域から流入した洗浄水又は機能水とが合流し、切り欠き部３８ｃ１ａと流路３８ａ１の内壁との間、および凹部３８ｃ１ｂと流路３８ａ１の内壁との間を介して、動圧制御部３８ｃの下流側に流出する。
【００７１】
図６に表したように、動圧制御部３８ｃの下流側に流出した洗浄水又は機能水の一部は、直進流・旋回流形成部３８ｂの溝３８ｂ４に流入する。溝３８ｂ４に流入した洗浄水又は機能水の一部は流路３８ｂ１に流入し、残りの洗浄水又は機能水は、流路３８ａ１の内壁の近傍を流れる洗浄水又は機能水と合流する。流路３８ｂ１に流入した洗浄水又は機能水は、流路３８ｂ１を流れることで直進流となり、凹部３８ｂ２の内部に供給される。合流した洗浄水又は機能水は、直進流・旋回流形成部３８ｂと流路３８ａ１の内壁との間を流れ、流路３８ｂ３を介して凹部３８ｂ２の内部に供給されることで旋回流が形成される。
【００７２】
以上に説明したように、動圧制御部３８ｃを設ければ、流入口３８ａ２の中央領域から流入した洗浄水又は機能水の動圧を低減させ、動圧が低減された洗浄水又は機能水を流路３８ｂ１に流入させることができる。そのため、流路３８ｂ１を流れる直進流の動圧を低減させることができる。動圧の低減量は、基部３８ｃ１の流入口３８ａ２側の面積などにより制御することができる。  
すなわち、動圧制御部３８ｃを設ければ、直進流の動圧を、流入口３８ａ２から流入した洗浄水又は機能水の動圧よりも低くすることができる。
また、動圧制御部３８ｃを設ければ、直進流の動圧を制御して、直進流の動圧と、旋回流を形成するための流れの動圧と、の差を少なくすることもできる。
【００７３】
本実施の形態に係る噴霧ノズル３８には動圧制御部３８ｃが設けられているので、流入口３８ａ２側から見て、吐水口３８ａ３が流入口３８ａ２と重なる位置に設けられていても吐水の霧化状態が悪くなるのを抑制することができる。  
そのため、噴霧ノズル３８（本体部３８ａ）の先端側を細くしても吐水の霧化状態が悪くなるのを抑制することができる。その結果、ケーシング２０（ケースカバー２２、ベースプレート２４）のデザインの自由度を大きくすることができる。
【００７４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置２や衛生洗浄装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７５】
２ トイレ装置、  ４ 便器、  １０ 衛生洗浄装置、  １２ 本体部、  １４ 便座、  １６ 便蓋、  ２０ ケーシング、  ３０ 洗浄水供給部、  ３４ 洗浄ノズル、  ３５ 吐水部、  ３８ 噴霧ノズル、  ３８ａ 本体部、  ３８ａ１ 流路、  ３８ａ２ 流入口,  ３８ａ３ 吐水口、  ３８ｂ 直進流・旋回流形成部、  ３８ｂ１ 流路,  ３８ｂ２ 凹部,  ３８ｂ３ 流路,  ３８ｃ 動圧制御部、  ３８ｃ１ 基部,  ３８ｃ２ 受け部
【図１】
2018123622.tif 000003
【図２】
2018123622.tif 000004
【図３】
2018123622.tif 000005
【図４】
2018123622.tif 000006
【図５】
2018123622.tif 000007
【図６】
2018123622.tif 000008
【図７】
2018123622.tif 000009
【図８】
2018123622.tif 000010